(57)【要約】【課題】前側と後側とがいずれも二輪で合計四輪のスケートボードの旋回操舵性を良好なものとする。【解決手段】ボード１１に前側トラック１４と後側トラック１５とを備える。前側トラック１４と後側トラック１５とは、ハンガー２４がキングピン２２とブッシュ２５、２６とを介してベースプレート２１に取り付けられている。前側トラック１４は、ベースプレート２１が、前上がりに傾斜した軸心１８の周りに回転自在である。【選択図】図１
2019141368.tif 000002
【特許請求の範囲】
【請求項１】
ボードに前側トラックと後側トラックとを備え、
前記前側トラックと後側トラックとは、ハンガーがキングピンとブッシュとを介してベースプレートに取り付けられており、
前記前側トラックは、ベースプレートが、前上がりに傾斜した第１の軸心の周りに回転自在であることを特徴とするスケートボード。
【請求項２】
ボードは、前側部分と後側部分とを備えるとともに、前側部分と後側部分とが、操作者の体重や脚力によって前後方向の軸心の周りに互いに反対方向に弾性的に捩じり変形できるように構成され、
後側トラックは、ベースプレートが、前上がりに傾斜した第２の軸心の周りに回転自在であることを特徴とする請求項１記載のスケートボード。
【請求項３】
後側トラックの第２の軸心周りでの回転抵抗は、前側トラックの第１の軸心周りでの回転抵抗よりも大きいことを特徴とする請求項２記載のスケートボード。
【請求項４】
ボードは、その前部と後部とが、操作者の体重や脚力によっては、前後方向の軸心の周りに互いに反対方向に弾性的に捩じり変形できないように構成され、
前側トラックは、ベースプレートを回転自在に支持する支持体に取り付けられており、
前記支持体は、ばね弾性を有する弾性体を介してボードに取り付けられており、
後側トラックは、ベースプレートがボードに回転不能に取り付けられていることを特徴とする請求項１記載のスケートボード。
【発明の詳細な説明】
【技術分野】
【０００１】
本発明はスケートボードに関する。
【背景技術】
【０００２】
スケートボードの一種として、前のボードと後のボードとを備え、前のボードと後のボードとが、操作者の体重や脚力によって前後方向の軸心の周りに互いに反対方向に弾性的に捩じり変形できるように構成されたものがある（特許文献１）。この特許文献１に記載のスケートボードは、前のボードの底面と後のボードの底面とのそれぞれに、ローラを備えたキャスタが取り付けられており、キャスタは、側面視で鉛直軸に対して斜め前方に傾斜した軸心の周りに首を振るように構成されている。これによって、旋回操舵性が良好で、たとえば波形の経路すなわち連続した複数のＳ字形の経路を走行することが可能である。
【０００３】
ところが、特許文献１に記載のスケートボードは、前後のキャスタのローラはいずれも一輪である。このため、前後の一輪ずつのキャスタが側面視で鉛直軸に対して斜め前方に傾斜した軸心の周りに首を振ることから、自転車と同様に、走行時はとにかく、停止時は安定が悪く前後のボードを水平方向に保持できない。
【０００４】
このため、走行開始時の安定が良くなく、停止状態から安定した走行状態に移るまでの間の操作に熟練を要する。
【０００５】
この不安定性を解消するためには、前側と後側とをいずれも二輪、すなわち合計四輪にすればよいと考えられる。
【先行技術文献】
【特許文献】
【０００６】
【特許文献１】特表２００５−５３７８２０号公報
【発明の概要】
【発明が解決しようとする課題】
【０００７】
しかし、前側二輪かつ後側二輪とすると、キャスタが首を振るときの路面からの抵抗が大きく、このため走行時に安定した旋回を行うことが困難となって、前後一輪ずつの場合のような良好な操舵性を発揮することが困難となる。
【０００８】
そこで本発明は、このような問題点を解消して、前側と後側とがいずれも二輪すなわち合計四輪のスケートボードの旋回操舵性を良好にできるようにすることを目的とする。
【課題を解決するための手段】
【０００９】
この目的を達成するため、本発明のスケートボードは、
ボードに前側トラックと後側トラックとを備え、
前記前側トラックと後側トラックとは、ハンガーがキングピンとブッシュとを介してベースプレートに取り付けられており、
前記前側トラックは、ベースプレートが、前上がりに傾斜した第１の軸心の周りに回転自在である構成としたものである。
【発明の効果】
【００１０】
このような構成であると、前側トラックと後側トラックとは、いずれもハンガーを有するものであるため、このハンガーを用いて左右の二輪が装備され、したがって前後四輪を備えた構成となるために、走行中の安定性、特に走行開始時の安定性に優れる。のみならず、ハンガーが弾性を有するブッシュを用いてベースプレートに取り付けられているため、ベースプレートよりも路面側でばね作用を発揮することができ、このため車輪が接地している路面に対してボードを柔軟に変位させることができる。このとき、本発明のスケートボードは、ベースプレートが、前上がりに傾斜した第１の軸心の周りに回転自在であるために、操作者が体重や脚力によってボードの前部に前後方向の軸心周りの変位を与えることで、ハンガーに支持された前側の車輪に良好な操舵力を発生させたり、前側の車輪に前向きの推進力を発生させたりすることができるが、その場合に、上記ばね作用によって、ボードを柔軟かつ円滑に変位させることができる。このため、四輪のスケートボードでありながら、その旋回操作性を格別に良好なものとすることができる。
【図面の簡単な説明】
【００１１】
【図１】本発明の実施の形態１のスケートボードの立体図である。
【図２】同スケートボードの全体の側面図である。
【図３】同スケートボードの前側トラックの拡大側面図である。
【図４】同スケートボードの後側トラックの拡大側面図である。
【図５】同スケートボードの全体の平面図である。
【図６】同スケートボードの全体の底面図である。
【図７】同スケートボードの前側トラックの拡大立体図である。
【図８】本発明の実施の形態２のスケートボードの底面図である。
【図９】同スケートボードの後側トラックの拡大立体図である。
【図１０】本発明の実施の形態３のスケートボードの底面図である。
【図１１】同スケートボードの前側トラックの拡大立体図である。
【図１２】同スケートボードの前側トラックの拡大断面図である。
【発明を実施するための形態】
【００１２】
（実施の形態１）
図１〜図７は、本発明の実施の形態１のスケートボードを示す。ここで１１はボードであり、樹脂などによって成形されている。ボード１１は、前側部分１２と後側部分１３とが前後につながった構成であるとともに、前側部分１２と後側部分１３とが、ボード１１に乗る操作者の体重や脚力によって、前後方向の軸心の周りに互いに反対方向に弾性的に捩じり変形できるように構成されている。このようなボード１１自体は、意匠登録第１３７６８９７号公報やその他の文件に記載されており、当業者にとってよく知られたものであるため、その構造の詳細については説明を省略する。
【００１３】
前側部分１２の下面には前側トラック１４が装着されるとともに、後側部分１３の下面には後側トラック１５が装着されている。前後のトラック１４、１５において、１６、１７はスラストベアリングであり、これらのスラストベアリング１６、１７は、いずれも、前上がりに傾斜した軸心１８、１９の周りに回転自在とされている。すなわち、軸心１８、１９は、その上側が下側よりも前側に位置するように、傾斜した状態で設けられている。
【００１４】
前側トラック１４および後側トラック１５において、スラストベアリング１６、１７の下側には、ベースプレート２１、２１が取り付けられている。すなわち、ベースプレート２１、２１は、スラストベアリング１６、１７によって、軸心１８、１９の周りに回転自在に支持されている。このベースプレート２１は、板状のボードと四輪とを備えた通常のスケートボードに広く用いられているものと同様の構成である。
【００１５】
それぞれのベースプレート２１には、キングピン２２とキングピンナット２３とによって、ハンガー２４が取り付けられている。そして、ハンガー２４とベースプレート２１との間と、ハンガー２４とキングナット２３との間とには、それぞれブッシュ２５、２６が装着されている。ブッシュ２５、２６は、その内部をキングピン２２が貫通している。そしてブッシュ２５、２６は、合成ゴムなどの、ばね弾性を有する弾性体にて構成されており、ハンガー２４をベースプレート２１に対して弾性的に支持させるように設けられている。ハンガー２４には車軸２７が設けられており、この車軸２７を用いて左右の車輪２８、２８が取り付けられている。ハンガー２４にはピボット２９が設けられており、このピボット２９は、図示を省略したピボットブッシュを介して、ベースプレート２１のピボットカップ３０にはめ込まれている。
【００１６】
図示されたキングピン２２、キングピンナット２３、ハンガー２４、ブッシュ２５、２６、車軸２７、車輪２８、ピボット２９、ピボットカップ３０と、図示を省略したピボットブッシュとは、いずれも、ベースプレート２１のように、板状のボードと四輪とを備えた通常のスケートボードに広く用いられているものと同様の構成である。
【００１７】
図示の例では、キングピン２２によってハンガー２４をベースプレート２１に取り付けるように構成されている。
【００１８】
図示のスケートボードにおいては、後側トラック１５の軸心１９周りでの回転抵抗が、前側トラック１４の軸心１８周りでの回転抵抗よりも大きくなるように構成されている。詳細には、前側トラック１４においては、ベースプレート２１やハンガー２４やその他の部材は、軸心１８の周りに自由に回転できるように、スラストベアリング１６によって支持されている。これに対し、後側トラック１５においては、ベースプレート２１その他の部材を中立位置つまり左右に振れていない位置に復元するための復元ばね３２が設けられている。復元ばね３２は、一対の引張コイルばね３３、３３によって構成されており、その一端はベースプレート２１から距離をおいた位置におけるボート１１のセンタに接続されている。引張コイルばね３３、３３の他端は、ベースプレート２１における中心から右方向および左方向に距離をおいた位置にそれぞれ接続されている。これによって、一対の引張コイルばね３３、３３は、上記一端を中心としたＶ字形に配置されており、ベースプレート２１やその他の部材が右方向または左方向に首を振ると、ばね３３、３３のうちの一方に伸びが生じることで、上述の復元力を発現させるようになっている。また、このような復元性を有する構成によって、後側トラック１５が必要以上に回転しすぎることも防止可能である。図示は省略するが、前側トラック１４においては、この前側トラック１４が必要以上に回転しすぎることを防止するストッパを設けることが好ましい。
【００１９】
このような構成によると、操作者がボード１１に乗り、体重や脚力によってボード１１を左右いずれかの方向に傾けると、トラック１４、１５は、前上がりに傾斜した軸心１８、１９の周りに回転する構成であるために、ボード１１の傾きに対応して、右方向または左方向に旋回する。これによって操作者は、特に前側トラック１４によって、ボード１１を操舵することができる。またボード１１の前側部分１２を左右方向のいずれか一方に傾斜させるとともに、後側部分１３を左右方向の他方に傾斜させることを繰り返すと、すなわち前側部分１２と後側部分１３とか互いに反対方向に捩じれるようにボード１１を弾性的に変形させることを繰り返すと、車輪２８に推進力を発生させることができる。
【００２０】
このとき、前後のトラック１４、１５のいずれにもブッシュ２５、２６が設けられているため、ベースプレート２１よりも路面側でばね作用を発揮することができ、このため路面に対してボード１１を柔軟に変位させることができる。つまり、操作者は、ボード１１を旋回させたり推進させたりするときに、上記ばね作用によって、ボード１１を柔軟かつ円滑に変位させることができる。したがって実施の形態１のスケートボードによれば、前後四輪を備えた構成であることから走行中の安定性、特に走行開始時の安定性に優れるのみならず、その旋回操作性や推進操作性を格別に良好なものとすることができる。
【００２１】
ブッシュ２５、２６を有しない構成、たとえば車軸２７が直接ベースプレート２１に取り付けられたような構成であると、旋回操作や推進操作を同様に実現することは可能であるが、たとえば前側トラック１４に着目すると左右に距離を置いて二輪が設けられているため、その分、路面に対する旋回時の路面からの抵抗が一輪の場合に比べて大きい。
【００２２】
実施の形態１によれば、上述のように後側トラック１５に中立位置への復元力を作用させているため、その操舵性は、前側トラック１４が重点的に担うことになる。これは、前側にのみハンドルを有する自転車と同様の構成となるため、走行安定性を重視するとともに、前側トラック１４を操作するだけで操舵可能であるために操舵の容易性を達成することができる。
【００２３】
これに対し、実施の形態１においては、復元ばね３２を有しない構成、つまり後側トラック１５も、前側トラック１４と同様に軸心１９周りに回転自在とした構成、換言すると後側トラック１５の軸心１９周りの回転抵抗を前側トラック１４と同様に低減させた構成とすることもできる。その場合は、前後のトラック１４、１５がいずれも軸心１８、１９の周りに回転自在であるために、操舵性をより向上させることができ、たとえば復元ばね３２を有する場合と比べてボード１１の走行時の旋回半径を小さくすることができる。つまり小回りの利くスケートボードとすることができる。同様に、走行時の追加的な推進力の発生も、いっそう容易に達成することができる。
【００２４】
図示の例では、ボード１１として、上述のように意匠登録第１３７６８９７号公報に記載されたものと同様の構成のものを説明した。しかし、ボート１１の形態は、これに限られるものではなく、たとえば特許文献１に記載された構成とすることもできる。また、前後のトラック１４、１５についても、図示された特定の構成について説明したが、これに限られるものではなく、板状のボードと四輪とを備えた通常のスケートボードに広く用いられているものと同様の構成のベースプレート２１やハンガー２４やブッシュ２５、２６を、適宜に使用することができる。また、図示の例では、ブッシュ２５、２６は、上述のように板状のボードと四輪とを備えた通常のスケートボードに広く用いられているものと同様の構成であるが、これに限定されるものではなく、ばね弾性を有する適宜の部材をブッシュ２５、２６として用いることもできる。さらに、図示の例では、板状のボードと四輪とを備えた通常のスケートボードに広く用いられているものと同様の上下に一対のブッシュ２５、２６を配置したものを示したが、これに限定されるものではなく、その数量や形態は適宜とすることができる。要は、スラストベアリング１６、１７に取り付けられたベースプレート２１と、ハンガー２４との間に、ばね弾性を有する部材をキングピン２２を用いて取り付けた構成であれば足りる。キングピン２２も、図示の構成に代えて、適宜のものを利用することができる。
【００２５】
（実施の形態２）
図８および図９は、本発明の実施の形態２のスケートボードを示す。この実施の形態２では、後側トラック１５において、ベースプレート２１やスラストベアリング１７を用いずに、ハンガー２４がキングピン２２によって直接にボード１１に取り付けられている。図示は省略するが、ボート１１には、キングピン２２をねじ込むための金具やその他の部材が設けられる。上側のブッシュ２５はハンガー２４と座板３１との間に設けられ、下側のブッシュ２６はハンガー２４とキングピンナット２３との間に設けられている。
【００２６】
このような構成であると、ボード１１に直接取り付けられたハンガー２４は軸心１９の周りに回転可能であるが、その回転抵抗の大小がキングピンナット２３の締め込み具合によって調節される。このため、後側トラック１５の回転抵抗を容易に調節することができる。また、ベースプレートやスラストベアリングを有しないために、その分だけ構造が簡単である。
【００２７】
この実施の形態２のスケートボートも、上述の実施の形態１のスケートボードと同様に、図示の例に限定されるものではなく、上記と同様の様々な変形構造を採用することもできる。
【００２８】
（実施の形態３）
図１０〜図１２は、本発明の実施の形態３のスケートボードを示す。このスケートボードにおいて、ボード１１は、図示のような板状体によって構成されており、このボード１１は、操作者の体重や脚力によっては、その前側部分１２と後側部分１３とが前後方向の軸心の周りに互いに反対方向に弾性的に捩じり変形できない程度の剛性を有するように構成されている。
【００２９】
前側トラック１４の構造は、次のとおりである。すなわち、ボード１１の前側部分１２の下面には「く」の字形の板状のブラケット３５が取り付けられており、このブラケット３５の前半部３６は、ボード１１の前側に向かうにつれて次第に下側の位置となるように傾斜されている。つまり、前半部３６は、その板面３７が斜め後方下向きとなるように形成されている。
【００３０】
この実施の形態３においては、前側トラック１４のベースプレート２１を回転自在に支持する支持体としてのスラストベアリング１６が、ボルト３８とナット３９とによってブラケット３５の前半部３６に取り付けられている。そして、スラストベアリング１６とブラケット３５との間には、ばね弾性を有する弾性体として第１の合成ゴム板４０が挟み込まれて、これらと一体に取り付けられている。さらに、ナット３９側のワッシャ４１とブラケット３５との間には、ばね弾性を有する弾性体として第２の合成ゴム板４２が挟み込まれて、これらと一体に取り付けられている。つまり、第１の合成ゴム板４０と第２の合成ゴム板４２とでブラケット３５を挟み付けた状態で、支持体としてのスラストベアリング１６がブラケット３５に取り付けられている。上述のようにブラケット３５はその前半部３６の板面３７が斜め後方下向きとなるように形成されているため、この前半部３６に取り付けられたスラストベアリング１６は、その軸心１８が、実施の形態１および２と同様に前上がりに傾斜した構成となっている。
【００３１】
前側トラック１４において、ベースプレート２１、ハンガー２４、ブッシュ２５、２６、キングピン２２、キングピンナット２３などは、実施の形態１および２のものと同様の構成である。これらは、後側トラック１５においても設けられている。そして、後側トラック１５では、ベースプレート２１が直接ボード１１に取り付けられている。その取り付け構造は、板状のボードと四輪とを備えた通常のスケートボードに広く用いられているものと同様の構成である。このため、その詳細な図示は省略する。
【００３２】
実施の形態３のスケートボードにおいて、操作者がボード１１に乗り、体重や脚力によってボード１１の全体を左右いずれかの方向に傾けると、前側トラック１４は、前上がりに傾斜した軸心１８の周りに回転する構成であるために、ボード１１の傾きに対応して、右方向または左方向に旋回する。これによって操作者は、ボード１１を操舵することができ、かつボード１１に推進力を発現させることができる。後側トラック１５は、スラストベアリングを備えておらず、したがってこのような旋回機能は有しない。しかし、ブッシュ２５、２６が設けられているために、ボート１１の後側部分１３を狭い範囲で無理なく傾斜させることができる。
【００３３】
実施の形態３のスケートボードは、上述のように実施の形態１および２に比べてボード１１の剛性が高く、操作者の体重や脚力によって前側部分１２と後側部分１３とが前後方向の軸心の周りに互いに反対方向に弾性的に捩じり変形するというものではない。しかし、ボード１１とハンガー２４との間に、ブッシュ２５、２６のみならず、ばね弾性を有する第１および第２の合成ゴム板４０、４２が設けられているために、ボード１１の剛性が高いにもかかわらず、操作者は、ボード１１を旋回させたり推進させたりするときに、実施の形態１および２の場合と同様に、ボード１１を柔軟かつ円滑に変位させることができる。したがって実施の形態３のスケートボードによっても、前後四輪を備えた構成であることから走行中の安定性、特に走行開始時の安定性に優れるのみならず、推進操作性や、特に旋回操作性を格別に良好なものとすることができる。のみならず、ボード１１の剛性が高いことから、操作者は、安定した状態でボード１１に乗ることができる。
【００３４】
換言すると、実施の形態３のスケートボードでは、実施の形態１および２のスケートボードに比べてボード１１の剛性が高く、その分だけボード１１を傾斜させることによる特に前側トラック１４の旋回操作性が低くなる傾向にあるが、その傾向を、ばね弾性を有する第１および第２の合成ゴム板４０、４２で補償したものであるということができる。
【００３５】
このため、第１および第２の合成ゴム板４０、４２のばね弾性は、ボード１１を前後の軸心の周りに傾斜させることによる、特に前側トラック１４の操舵性や推進力発生性に寄与する程度のものであることが好ましい。この観点から、図示のように、下側の第１の合成ゴム板４０の方が、上側の第２の合成ゴム板４２よりも厚く形成されていることが好ましい。また下側の第１の合成ゴム板４０の方が、上側の第２の合成ゴム板４２よりも面方向の寸法を大きく形成されていることが好ましい。具体的には大径に形成されていることが好ましい。またボード１１が左右方向に傾斜することから、下側の第１の合成ゴム板４０は、特に前後方向に比べて左右方向の寸法が大きい形状ものであることが好ましい。このような形状としては、楕円形や長方形などを挙げることができる。なお、添付の図面においては、弾性体すなわち合成ゴム板を２枚用いたものを例示したが、その数量は適宜とすることができる。
【符号の説明】
【００３６】
１１    ボード
１４    前側トラック
１５    後側トラック
１６    スラストベアリング
１７    スラストベアリング
１８    軸心
１９    軸心
２１    ベースプレート
２２    キングピン
２４    ハンガー
２５    ブッシュ
２６    ブッシュ
４０    第１の合成ゴム板
４２    第２の合成ゴム板
【図１】
2019141368.tif 000003
【図２】
2019141368.tif 000004
【図３】
2019141368.tif 000005
【図４】
2019141368.tif 000006
【図５】
2019141368.tif 000007
【図６】
2019141368.tif 000008
【図７】
2019141368.tif 000009
【図８】
2019141368.tif 000010
【図９】
2019141368.tif 000011
【図１０】
2019141368.tif 000012
【図１１】
2019141368.tif 000013
【図１２】
2019141368.tif 000014
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
ボードに前側トラックと後側トラックとを備え、
前記前側トラックと後側トラックとは、ハンガーがキングピンとばね弾性を有するブッシュとを介してベースプレートに取り付けられており、
前記前側トラックは、ベースプレートが、前上がりに傾斜した第１の軸心の周りに回転自在であるとともに、ベースプレートを左右に振れていない中立位置に復元するための復元ばねを有しない構成であることを特徴とするスケートボード。
【請求項２】
ボードは、前側部分と後側部分とを備えるとともに、前側部分と後側部分とが、操作者の体重や脚力によって前後方向の軸心の周りに互いに反対方向に弾性的に捩じり変形できるように構成され、
後側トラックは、ベースプレートが、前上がりに傾斜した第２の軸心の周りに回転自在であることを特徴とする請求項１記載のスケートボード。
【請求項３】
後側トラックの第２の軸心周りでの回転抵抗は、前側トラックの第１の軸心周りでの回転抵抗よりも大きいことを特徴とする請求項２記載のスケートボード。
【請求項４】
ボードは、その前部と後部とが、操作者の体重や脚力によっては、前後方向の軸心の周りに互いに反対方向に弾性的に捩じり変形できないように構成され、
前側トラックは、ベースプレートを回転自在に支持する支持体に取り付けられており、
前記支持体は、ばね弾性を有する弾性体を介してボードに取り付けられており、
後側トラックは、ベースプレートがボードに回転不能に取り付けられていることを特徴とする請求項１記載のスケートボード。
【手続補正２】
【補正対象書類名】明細書
【補正対象項目名】０００９
【補正方法】変更
【補正の内容】
【０００９】
この目的を達成するため、本発明のスケートボードは、
ボードに前側トラックと後側トラックとを備え、
前記前側トラックと後側トラックとは、ハンガーがキングピンとばね弾性を有するブッシュとを介してベースプレートに取り付けられており、
前記前側トラックは、ベースプレートが、前上がりに傾斜した第１の軸心の周りに回転自在であるとともに、ベースプレートを左右に振れていない中立位置に復元するための復元ばねを有しない構成であるようにしたものである。
【手続補正３】
【補正対象書類名】明細書
【補正対象項目名】００１０
【補正方法】変更
【補正の内容】
【００１０】
このような構成であると、前側トラックと後側トラックとは、いずれもハンガーを有するものであるため、このハンガーを用いて左右の二輪が装備され、したがって前後四輪を備えた構成となるために、走行中の安定性、特に走行開始時の安定性に優れる。のみならず、ハンガーが弾性を有するブッシュを用いてベースプレートに取り付けられているため、ベースプレートよりも路面側でばね作用を発揮することができ、このため車輪が接地している路面に対してボードを柔軟に変位させることができる。このとき、本発明のスケートボードは、ベースプレートが、前上がりに傾斜した第１の軸心の周りに回転自在であるとともに、ベースプレートを左右に振れていない中立位置に復元するための復元ばねを有しない構成であるために、操作者が体重や脚力によってボードの前部に前後方向の軸心周りの変位を与えることで、ハンガーに支持された前側の車輪に良好な操舵力を発生させたり、前側の車輪に前向きの推進力を発生させたりすることができるが、その場合に、上記ばね作用によって、ボードを柔軟かつ円滑に変位させることができる。このため、四輪のスケートボードでありながら、その旋回操作性を格別に良好なものとすることができる。
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
ボードに前側トラックと後側トラックとを備え、
前記前側トラックと後側トラックとは、ハンガーがキングピンとばね弾性を有するブッシュとを介してベースプレートに取り付けられており、
前記前側トラックは、ベースプレートが前上がりに傾斜した第１の軸心の周りに回転自在であるとともに、ベースプレートを左右に振れていない中立位置に復元するための復元ばねを有さず、  
前記前側トラックにおいて、前記キングピンは前記ハンガーがさらにピボットを備え、
前記前側トラックにおいてはさらに、前記ピボットがピボットブッシュを介して前記ベースプレートに取り付けられ、
前記ハンガーが前記キングピンとばね弾性を有する前記ブッシュとを介して前記ベースプレートに取り付けられる位置は、前記ピボットが前記ピボットブッシュを介して前記ベースプレートに取り付けられる位置よりも、前記第１の軸心に近い位置に配置される構成であることを特徴とするスケートボード。
【請求項２】
ボードは、前側部分と後側部分とを備えるとともに、前側部分と後側部分とが、操作者の体重や脚力によって前後方向の軸心の周りに互いに反対方向に弾性的に捩じり変形できるように構成され、
後側トラックは、ベースプレートが、前上がりに傾斜した第２の軸心の周りに回転自在であることを特徴とする請求項１に記載のスケートボード。
【請求項３】
後側トラックの第２の軸心周りでの回転抵抗は、前側トラックの第１の軸心周りでの回転抵抗よりも大きいことを特徴とする請求項２に記載のスケートボード。
【請求項４】
ボードは、その前部と後部とが、操作者の体重や脚力によっては、前後方向の軸心の周りに互いに反対方向に弾性的に捩じり変形できないように構成され、
前側トラックは、ベースプレートを回転自在に支持する支持体に取り付けられており、前記支持体は、ばね弾性を有する弾性体を介してボードに取り付けられており、
後側トラックは、ベースプレートがボードに回転不能に取り付けられていることを特徴とする請求項１に記載のスケートボード。